(57)【要約】【課題】３つの位置を備える操作スイッチで、撮影モードの切り替えおよびレンズユニットの位置規制を可能とし、大型化を回避したレンズ装置、カメラ本体および撮影装置を提供する。【解決手段】カメラ本体に接続可能なレンズ装置であって、少なくとも一つのレンズユニットと、第１の位置、第２の位置、第３の位置に移動可能な操作スイッチと、を備え、前記操作スイッチが前記第２の位置に位置する場合には、前記レンズ装置の設定、或いは前記カメラ本体の設定、のうちの一つが切り換えられ、或いは切り換え可能な状態とされ、前記操作スイッチが前記第３の位置に位置する場合には、前記少なくとも一つのレンズユニットの位置が規制される、或いは前記少なくとも一つのレンズユニットの非撮影位置への移動が許可される。【選択図】図１
2017111315.tif 000002
【特許請求の範囲】
【請求項１】
カメラ本体に接続可能なレンズ装置であって、
少なくとも一つのレンズユニットと、
第１の位置、第２の位置、第３の位置に移動可能な操作スイッチと、を備え、
前記操作スイッチが前記第２の位置に位置する場合には、前記レンズ装置の設定、或いは前記カメラ本体の設定、のうちの一つが切り換えられ、或いは切り換え可能な状態とされ、  前記操作スイッチが前記第３の位置に位置する場合には、前記少なくとも一つのレンズユニットの位置が規制される、或いは前記少なくとも一つのレンズユニットの非撮影位置への移動が許可される、
ことを特徴とするレンズ装置。
【請求項２】
前記操作スイッチが前記第３の位置に位置する場合、前記少なくとも一つのレンズユニットは、沈胴状態における位置に移動することが許可されることを特徴とする請求項１に記載のレンズ装置。
【請求項３】
前記操作スイッチが前記第３の位置に位置するとき、沈胴状態に規制されることを特徴とする請求項１又は２に記載のレンズ装置。
【請求項４】
前記操作スイッチが前記第３の位置に位置する場合には、撮影が禁止されることを特徴とする請求項１乃至３いずれか１項に記載のレンズ装置。
【請求項５】
第１の操作環を備え、
前記操作スイッチが前記第３の位置に位置する状態で前記第１の操作環が操作されることにより、前記少なくとも一つのレンズユニットが前記規制された位置、又は前記非撮影位置に移動される、ことを特徴とする請求項１乃至４いずれか１項に記載のレンズ装置。
【請求項６】
前記操作スイッチが前記第３の位置に位置する場合には、オートフォーカスが禁止されることを特徴とする請求項１乃至５いずれか１項に記載のレンズ装置。
【請求項７】
前記操作スイッチが前記第３の位置に位置する場合には、前記少なくとも一つのレンズユニットの移動が禁止されることを特徴とする請求項１乃至６いずれか１項に記載のレンズ装置。
【請求項８】
前記操作スイッチが前記第３の位置に位置するときに、前記レンズユニットはズームロック状態に規制されることを特徴とする請求項７に記載のレンズ装置。
【請求項９】
前記操作スイッチが前記第３の位置に位置するときに、前記レンズユニットはマクロモードに規制されることを特徴とする請求項１に記載のレンズ装置。
【請求項１０】
前記第２の位置および第３の位置の少なくとも一方から前記第１の位置へは自動的に復帰することを特徴とする請求項1乃至９のいずれか1項に記載のレンズ装置。
【請求項１１】
前記第１の位置から前記第２の位置への移行による前記設定の切り替えは、全体として循環するように前記第１の位置から前記第２の位置への移行ごとに順に行われることを特徴とする請求項１乃至１０のいずれか１項に記載のレンズ装置。
【請求項１２】
前記設定は、フォーカス位置、絞り値、シャッタースピード、ズーム位置、ＩＳＯ感度、ホワイトバランス、露出補正値、フォーカス位置調整敏感度のうちの少なくとも２つであることを特徴とする請求項１１に記載のレンズ装置。
【請求項１３】
前記第１の位置から前記第２の位置への移行による前記設定の切り替えが許容された状態で、前記設定の対象を変更するための第２の操作環を有することを特徴とする請求項１乃至１２のいずれか１項に記載のレンズ装置。
【請求項１４】
前記第１の位置から前記第２の位置への移行により前記設定におけるパラメータの変更が許可された状態において、前記パラメータを変更するための第２の操作環を有することを特徴とする請求項１乃至１２のいずれか１項に記載のレンズ装置。
【請求項１５】
前記第１、２、３の位置は前記レンズユニットの光軸方向に沿って並んで配置されており、
前記第２の位置および第３の位置は、前記第１の位置を挟んで反対側に位置することを特徴とする請求項１乃至１４のいずれか１項に記載のレンズ装置。
【請求項１６】
前記設定の変更内容を表示する表示部を備えることを特徴とする請求項１乃至１５いずれか１項に記載のレンズ装置。
【請求項１７】
前記設定の変更内容を、前記レンズ装置の外部へ通信することを特徴とする請求項１乃至１６いずれか１項に記載のレンズ装置。
【請求項１８】
前記操作スイッチが第１の位置に位置する場合には、前記レンズ装置の設定や前記カメラ本体の設定は、前記カメラ本体側からの操作によって切り換えられる、或いは切り換え可能な状態とされる、ことを特徴とする請求項１乃至１７いずれか１項に記載のレンズ装置。
【請求項１９】
撮像素子を含むカメラ本体と、該カメラ本体に接続され、被写体からの光を前記撮像素子に導くレンズ装置と、を備える撮影装置であって、
前記レンズ装置が、
少なくとも一つのレンズユニットと、
第１の位置、第２の位置、第３の位置に移動可能な操作スイッチと、
を有しており、
前記撮影装置が、
前記操作スイッチが前記第２の位置に位置する場合には、前記レンズ装置の設定、或いは前記カメラ本体の設定、のうちの一つを切り換える、或いは切り換え可能な状態とし、前記操作スイッチが前記第３の位置に位置する場合には、前記少なくとも一つのレンズユニットの位置を規制する、或いは前記少なくとも一つのレンズユニットの非撮影位置への移動を許可する制御手段、
を備えることを特徴とする撮影装置。
【請求項２０】
少なくとも一つのレンズユニットと、第１の位置、第２の位置、第３の位置に移動可能な操作スイッチと、を有するレンズ装置を接続可能なカメラ本体であって、
前記操作スイッチが前記第２の位置に位置する場合には、前記レンズ装置の設定、或いは前記カメラ本体の設定、のうちの一つを切り換える、或いは切り換え可能な状態とし、前記操作スイッチが前記第３の位置に位置する場合には、前記少なくとも一つのレンズユニットの位置を規制する、或いは前記少なくとも一つのレンズユニットの非撮影位置への移動を許可する制御手段、
を備えることを特徴とするカメラ本体。
【発明の詳細な説明】
【技術分野】
【０００１】
本発明は、レンズ装置、カメラ本体および撮影装置に関し、特に通常撮影状態と非撮影状態又は限定された撮影状態を切り替える、更に撮影設定を変更する操作スイッチを設けたレンズ装置、カメラ本体および撮影装置に関するものである。
【背景技術】
【０００２】
従来、レンズ装置におけるレンズ鏡筒には沈胴式の鏡筒のように通常撮影状態と非撮影状態とを切り替えるものがあった。レンズ鏡筒に設けられたスイッチにより、ズームリングを回動させると通常撮影が可能なズームの領域と、レンズ鏡筒を沈胴状態に短縮し非撮影状態にする沈胴の領域に切り替えることが可能な構造が知られている（特許文献１）。
【０００３】
また、ズームロック機能付きの鏡筒のように所定のズーム位置において前玉が自重等で突出してしまわないようにズーム位置をロックさせることにより、通常撮影と限定された撮影状態に切り替えるものがあった。
【０００４】
一方で、マニュアル操作リングを備え、マニュアル操作リングを回動させることによりフォーカス位置等の撮影設定を変更できるレンズ鏡筒があった。
【先行技術文献】
【特許文献】
【０００５】
【特許文献１】特開２０１１−３９３２１号公報
【発明の概要】
【発明が解決しようとする課題】
【０００６】
しかしながら、特許文献１に開示された従来技術では、マニュアル操作リングを回動させることで撮影設定を変更する場合、レンズ鏡筒に撮影設定の内容を選択する為のスイッチと上記撮影状態切り替えのスイッチを設ける必要が生じる。レンズ鏡筒にこのような複数のスイッチを設ける場合、レンズ鏡筒が大型化することを回避することが望ましい。
【０００７】
本発明の目的は、３つの位置を備える操作スイッチで、撮影モードの切り替えおよびレンズユニットの位置規制を可能とし、大型化を回避したレンズ装置、カメラ本体および撮影装置を提供することにある。
【課題を解決するための手段】
【０００８】
上記目的を達成するために、本発明に係るレンズ装置は、カメラ本体に接続可能なレンズ装置であって、少なくとも一つのレンズユニットと、第１の位置、第２の位置、第３の位置に移動可能な操作スイッチと、を備え、前記操作スイッチが前記第２の位置に位置する場合には、前記レンズ装置の設定、或いは前記カメラ本体の設定、のうちの一つが切り換えられ、或いは切り換え可能な状態とされ、前記操作スイッチが前記第３の位置に位置する場合には、前記少なくとも一つのレンズユニットの位置が規制される、或いは前記少なくとも一つのレンズユニットの非撮影位置への移動が許可される、ことを特徴とする。
【０００９】
また、本発明に係る撮影装置は、撮像素子を含むカメラ本体と、該カメラ本体に接続され、被写体からの光を前記撮像素子に導くレンズ装置と、を備える撮影装置であって、前記レンズ装置が、少なくとも一つのレンズユニットと、第１の位置、第２の位置、第３の位置に移動可能な操作スイッチと、を有しており、前記撮影装置が、前記操作スイッチが前記第２の位置に位置する場合には、前記レンズ装置の設定、或いは前記カメラ本体の設定、のうちの一つを切り換える、或いは切り換え可能な状態とし、前記操作スイッチが前記第３の位置に位置する場合には、前記少なくとも一つのレンズユニットの位置を規制する、或いは前記少なくとも一つのレンズユニットの非撮影位置への移動を許可する制御手段、
を備えることを特徴とする。
【００１０】
また、本発明に係るカメラ本体は、少なくとも一つのレンズユニットと、第１の位置、第２の位置、第３の位置に移動可能な操作スイッチと、を有するレンズ装置を接続可能なカメラ本体であって、前記操作スイッチが前記第２の位置に位置する場合には、前記レンズ装置の設定、或いは前記カメラ本体の設定、のうちの一つを切り換える、或いは切り換え可能な状態とし、前記操作スイッチが前記第３の位置に位置する場合には、前記少なくとも一つのレンズユニットの位置を規制する、或いは前記少なくとも一つのレンズユニットの非撮影位置への移動を許可する制御手段、を備えることを特徴とする。
【発明の効果】
【００１１】
本発明によれば、３つの位置を備える操作スイッチで、撮影モードの切り替えおよびレンズユニットの位置規制を可能とし、大型化を回避したレンズ装置、カメラ本体および撮影装置を提供することができる。
【図面の簡単な説明】
【００１２】
【図１】本発明の第１の実施形態に係るレンズ鏡筒の斜視図である。
【図２】第１の実施形態に係るレンズ鏡筒の沈胴状態の断面図である。
【図３】第１の実施形態に係るレンズ鏡筒の撮影状態の断面図である。
【図４】本発明の第２の実施形態に係るレンズ鏡筒の斜視図である。
【図５】本発明の第３の実施形態に係るレンズ鏡筒の斜視図である。
【発明を実施するための形態】
【００１３】
以下に、本発明の好ましい実施の形態を、添付の図面に基づいて詳細に説明する。
【００１４】
《第１の実施形態》
（撮影装置、カメラ本体およびレンズ装置）
以下、本発明の第１の実施形態に係るレンズ装置としてのレンズ鏡筒の構成並びにカメラ本体を備える光学機器である撮影装置としてのカメラの構成について、図１乃至図３を用いて説明する。図１において、２００は交換レンズを示し、１９は回転させることにより撮影設定の内容（種類）の変更を行うマニュアル操作リング（マニュアルリング）、３５は回転させることによりズーミングを行うズームリング（ズーム環）である。また、２１は後に詳述する操作スイッチとしての切り替えスイッチである。
【００１５】
図２、図３で、５００はカメラ本体であり、本実施形態の交換レンズ２００はカメラ本体５００にマウント３２でバヨネット固定され、レンズ装置を構成する。光学機器である撮像装置として、カメラ本体５００に接続可能な交換レンズ２００がマウント３２で固定されると、各レンズの動作を制御するプリント基板３１は接点ブロック３３を通し交換レンズ２００の外部となるカメラ本体５００と通信可能となる。
【００１６】
５１０はカメラマイコンであり、カメラ全体の動作の制御を司るマイクロコンピュータであり、本実施形態に関わる各種制御もこのカメラマイコン５１０により実行される。６００はカメラ本体５００に搭載された撮像素子であり、交換レンズ２００を通過した被写体からの光を受け、その光を電気信号に変換するＣＭＯＳやＣＣＤ等の光-電気変換素子である。
【００１７】
図２は、交換レンズ２００が沈胴状態（収納するために撮影状態より全長が短い）を示した図である。１はレンズユニットとしての１群レンズ、２は１群レンズ１を保持する１群鏡筒、１７は１群鏡筒を固定する１群筒である。また、３はレンズユニットとしての２群レンズ、４は２群レンズ３を保持する２群ユニットである。２群ユニット４は、光軸に対して垂直な面上で２群レンズ３を移動することで、いわゆる手ブレを補正する光学防振機能を果たす。
【００１８】
ここで、この沈胴状態（非撮影状態、撮影不可状態）とは、前述のように、通常の撮影が行える状態よりもレンズ全長が短くなる状態を意味している。通常、交換レンズが沈胴状態にある時は、どのような距離に配置された被写体に対してもピントが合わない、或いはピントが合ったとしてもある１つの距離に配置された被写体にしかピントが合わない。
【００１９】
５はレンズユニットとしての３群レンズ、６は３群レンズ５を保持する３群鏡筒である。この３群レンズ５の被写体側には、上記光学防振機能を果たす２群ユニット４が固定されている。７はレンズユニットとしての４群レンズであり、８は４群レンズ７を保持する４群鏡筒で３群鏡筒６に固定される。９はフォーカスレンズであり、１０はフォーカスレンズ９を保持するフォーカス鏡筒で、３群鏡筒６に設けられた案内機構、駆動機構によって光軸方向へ移動し、合焦動作を行う。
【００２０】
１１はレンズユニットとしての５群レンズ、１２は５群レンズ１１を保持する５群鏡筒である。３４は光量調節を行う絞りユニットであり、３群鏡筒６に固定される。そして、絞りユニット３４を３群鏡筒６に固定した後、２群ユニット４も３群鏡筒６に固定される。
【００２１】
１４は保持部材であるところの案内筒であり、１６は案内筒１４の外周に回転可能に嵌合したカム環である。１８はカム環付勢バネであり、図示の断面とは異なる回転位相位置で案内筒１４にカム環１６を付勢する。２３は固定鏡筒であり、案内筒１４を固定する。
【００２２】
３１はレンズの駆動用ＩＣ、マイコン等が配置されたプリント基板であり、固定鏡筒２３に固定されている。２７は外観リングユニットであり、３２はマウントで固定鏡筒２３にビス固定される。外観リングユニット２７は、固定鏡筒２３とマウント３２に挟まれ固定される。３６は裏蓋であり、マウント３２に固定されている。
【００２３】
マニュアルリング１９は、固定鏡筒２３を軸として回転可動に支持されている。マニュアルリング１９を回転させると、その回転を不図示のセンサが検出し、回転量に応じて後述する撮影設定の内容（種類）の変更を行う。３３は接点ブロックであり、プリント基板３１と不図示の配線（フレキシブルプリント基板など）によって接続されて、マウント３２にビス固定される。
【００２４】
なお、図２において、１３は第２キーリング、２０は第１ズーム外観リング、２２はスイッチレバー、２４はスイッチカム、２５は付勢バネ、２６はスイッチカバー、２８はフィルタリング、２９はネームリング、３０はマスク、３７は付勢ピンである。また、３８は第２ズーム外観リングである。
【００２５】
次に、各レンズのズーム動作について説明する。１群鏡筒２および１群筒１７は、１群筒１７に設置された図示しないコロにてカム環１６に係合されており、カム環１６の光軸周りの回転に伴い光軸方向に移動させることができる。１５は案内筒１４の物体側先端に固定された第１キーリングであり、第１キーリング１５に設置された不図示の３ヵ所の突起が１群筒１７の内面に設置された不図示の３ヵ所の直進溝にそれぞれ係合し、１群筒１７の直進移動を支持する。
【００２６】
また、３群鏡筒６は図示しないコロにてカム環１６に係合されている。そして、固定された２群ユニット４、絞りユニット３４、４群鏡筒８、フォーカス鏡筒１０およびその案内機構・駆動機構、５群鏡筒１２と共に、カム環１６の光軸周りの回転に伴い光軸方向に移動させることができる。
【００２７】
３５はマニュアルズームリング（ズームリング）であり、固定鏡筒２３に回転自在に支持される。カム環１６は不図示のコロを介してズームリング３５と連結されており、ユーザーがズームリング３５を回転させることでカム環１６が回転する。カム環１６の外面には１群筒１７に設置された不図示のコロと係合するカム溝が設置され、また内面には３群鏡筒６に設置された不図示のコロと係合するカム溝が設置されている。
【００２８】
これらのカム溝は、ズームリング３５を回転させることで、レンズ鏡筒が図２の沈胴状態からレンズ鏡筒全長が伸長した図３の撮影状態となり、撮影状態においてはＷＩＤＥ〜ＴＥＬＥ間で各レンズが所望の間隔となるような軌跡となっている。ズームリング３５の回転は不図示のセンサーによって検出され、その信号をプリント基板３１のＩＣ（集積回路）で、回転量に応じてズーム位置を判断し、ズーム位置に応じたフォーカス、防振、絞りの制御を行う。このようなズームリング３５には、操作スイッチとしての切り替えスイッチ２１（図１、図２）が設けられている。
【００２９】
（操作スイッチ）
操作スイッチとしての切り替えスイッチ（以下、スイッチ）２１はズームリング３５に光軸方向へ可動に支持されており、３ポジションに切り替えが可能（移動可能）となっている。即ち、撮影状態（通常撮影）に対応する第１の位置（原点位置）と、第１の位置と異なる第２の位置と、第１の位置を挟んで第２の位置と異なる第３の位置と、を備え、第１の位置と第２の位置との間、および第１の位置と第３の位置との間が切り替え可能である。本実施形態では、第２及び第３の位置は、第１の位置を挟んでレンズ群の光軸方向にあり、第２の位置は原点位置に対し後側（像面側）、第３の位置は原点位置に対し前側（被写体側）にある。
【００３０】
そして、付勢部材（不図示）により第２の位置あるいは第３の位置から第１の位置（第２及び第３の位置に対し中央の位置）に自動復帰するように付勢されている。以下、撮影状態と沈胴状態との間の切り替えについて、撮影状態から沈胴状態への切り替えと、沈胴状態から撮影状態への切り替えに分けて説明する。
【００３１】
（撮影状態から沈胴状態への切り替え）
以下、スイッチ２１を使用して、撮影状態にあるときのレンズ群（レンズユニット）の配置から少なくとも一つのレンズユニットの位置を規制する状態（ここでは沈胴状態）の配置への切り替えを行う動作について説明する。本実施形態では、撮影状態にあるときのレンズユニットの全部（全て）が光軸方向に変位して沈胴状態の配置（非撮影位置）となる。
【００３２】
本実施形態では、スイッチ２１における第１の位置から第３の位置への移行は、撮影状態にあるときのレンズユニットの配置から沈胴状態への切り替えを許容（許可）する。そして、第１の位置から第３の位置への移行により沈胴状態への切り替えが許容された状態で、撮影状態にあるときのレンズユニットの配置から沈胴状態のレンズユニットの配置へ変位させる操作のための第１の操作環としてズームリング３５を有する。即ち、本実施形態では、スイッチ２１を第１の位置から第３の位置へスライドさせた状態でズームリング３５を第１の方向（沈胴側）に回動させることにより、撮影状態から沈胴状態に移行させることができる。
【００３３】
そして、ズームリング３５の回動後にスイッチ２１から指を離すと、スイッチ２１は第１の位置に復帰する。
【００３４】
（沈胴状態から撮影状態への切り替え）
本実施形態では、スイッチ２１における第１の位置から第３の位置への移行は、沈胴状態にあるときのレンズユニットの配置から撮影状態への切り替えを許容する。そして、このように撮影状態への切り替えが許容された状態で、沈胴状態のレンズユニットの配置から撮影状態にあるときのレンズユニットの配置へ変位させる操作のための操作環として上記第１の操作環（ズームリング３５）を有する。即ち、沈胴状態において、スイッチ２１を第１の位置から第３の位置へスライドさせた状態でズームリング３５を上記第１の方向と反対側の第２の方向（ワイド側）に回動させることにより、沈胴状態から撮影状態に移行させることができる。
【００３５】
そして、ズームリング３５の回動後にスイッチ２１から指を離すと、スイッチ２１は第１の位置に復帰する。このような第１の位置へ復帰した状態は、第１の位置から第３の位置への移行がされた状態ではない（沈胴状態への切り替えが許容されない）ため、ズームリング３５は沈胴側へ回転することができない。これにより、意図せずにズームリング３５が沈胴領域に移動してしまうことが無い。
【００３６】
（撮影設定の切り替え）
次に、スイッチ２１（図１、図２）を使用して、マニュアルリング１９（図１、図２）で変更する撮影設定の種類（内容）を切り替える（選択する）動作について説明する。本実施形態では、スイッチ２１における第１の位置から第２の位置への移行は、撮影設定として異なる種類への切り換えを許容する。即ち、操作スイッチであるスイッチ２１が第２の位置に位置する場合には、レンズ装置の設定、或いはカメラ本体の設定、のうちの一つを切り換える、或いは切り換え可能な状態とする。
【００３７】
具体的には、スイッチ２１を第１の位置から光軸方向像面側の第２の位置に変位（スライド）させると、スイッチ２１と電気的に接続されたフレキシブルプリント基板（不図示）を介し、プリント基板３１を経てカメラ本体５００に電気信号が伝達される。そして、伝達された電気信号はカメラマイコン５１０（図２）に入力され、スイッチ２１およびマニュアルリング１９の操作に応じた制御処理がカメラマイコン５１０にて実行される。
【００３８】
本実施形態では、スイッチ２１を第１の位置から第２の位置へ変位（スライド）させる毎に、第２の操作環としてのマニュアルリング１９で変更する撮影設定の種類（内容）が順次切り替わる。複数の撮影設定（撮影モード）で動作可能な本実施形態におけるレンズ装置で、切り替わる撮影設定の内容と順序は、例えば、フォーカス位置→絞り値→ＩＳＯ感度→露出補正値→フォーカス位置といったものである。
【００３９】
即ち、第１の位置から第２の位置への移行により許容される撮影設定の異なる種類への切り替えは、全体として循環するように第１の位置から第２の位置への移行ごとに順に行われる。上記のように、操作スイッチの第１の位置から第２の位置への移行（その後自動的に第１の位置に復帰）すると、撮影設定の内容が変更可能となる。具体的な方法としては、操作スイッチが第２の位置に位置する状態で、第２の操作環を操作することで設定する対象（設定項目の種類）を変更しても良いし、第２の位置に移動する度に設定対象を変更しても良い。
【００４０】
また、操作スイッチが第２の位置に移動する度に設定対象を変更する場合には、第２の操作環はその設定対象におけるパラメータの変更を行うために操作すれば良い。すなわち、第２の操作環は、設定対象（設定項目の種類）を変更するように構成されていても良いし、設定対象における設定パラメータを変更するように構成されていても良い。
【００４１】
本実施形態では、付勢部材（不図示）によりスイッチ２１は第２の位置から第１の位置に自動的に復帰する為、カメラを構えながら簡単な操作で撮影設定の種類（内容）を切り替えることができる。
【００４２】
なお、撮影設定の種類（内容）に関する順序は上述したものに限られず、他の順序とすることができる。また、撮影設定の種類（内容）は上述したものに限られない。撮影設定の種類（内容）は、例えば、フォーカス位置、絞り値、シャッタースピード、ズーム位置、ＩＳＯ感度、ホワイトバランス、露出補正値、フォーカス位置調整敏感度、撮影モードのうちの少なくとも２つとすることができる。
【００４３】
また、前述の撮影設定の種類によっては、カメラ本体５００内のカメラマイコン５１０に電気信号が伝達されることなく、設定を変更可能である。例えば、フォーカス位置、絞り値、ズーム位置などは、レンズ装置内部の制御対象（設定値、制御パラメータ）であるため、カメラマイコンを介さずに、レンズマイコンのみで制御対象を制御可能である。
【００４４】
また、撮影設定の種類は上記に限られない。例えば、撮影設定の種類を、露出を制御するための複数の撮影モードとしても構わない。複数の撮影モードとは、例えば、絞り値とシャッター速度をカメラ（或いはレンズ）が決めるプログラムオート、撮影者が選んだシャッター速度、絞り値に対してカメラが絞り値を決めるシャッター優先オート、絞り優先オート等である。
【００４５】
つまり、前述のスイッチを第１の位置から第２の位置へ移行（移動）させる度に、プログラムオート→シャッター速度優先オート→絞り優先オート→プログラムオート、といったように撮影モードが切り替わるようにすれば良い。尚、撮影モードは、他には、夜景撮影モード、ポートレート撮影モード、花火撮影モード、室内撮影モード、風景撮影モード、マクロ撮影モードなどであっても良い。また、スイッチが第２の位置に位置している最中は、撮影設定（或いは撮影モード）の制御対象（或いは撮影モード）が順次切り替わるようにしても良い。
【００４６】
以上、本実施形態では、操作スイッチが第１の位置に位置する場合には、レンズ装置を第１の撮影モードで動作させ、操作スイッチが第２の位置に位置する場合には、レンズ装置の撮影モードを第１の撮影モードから順次切り替える。かつ、操作スイッチが第３の位置に位置する場合には、全てのレンズユニットの位置を規制するように、制御手段を備える。
【００４７】
ここで、第１の撮影モードとは、現状のレンズ或いはカメラの設定を変更しない状態であるが、操作スイッチが第１の位置に位置する状態であっても、カメラ本体側からの操作によってそれらの設定を変更することは可能である。これにより、本実施形態では、レンズ鏡筒に設けるスイッチを増やすことなく、撮影状態と沈胴状態の切り替え、更に撮影設定の種類（内容）の切り替えを操作性良く、しかもレンズ鏡筒が大型化せず、デザイン性を損なうことなく行うことができる。
【００４８】
《第２の実施形態》
以下、図４を参照して、本発明の第２の実施形態に係るレンズ装置としてのレンズ鏡筒について説明する。本実施形態は、スイッチにおける第１の位置と第３の位置との間の移行自体で、撮影状態にあるときのレンズユニットの配置とズームロック状態（レンズ群における光軸方向の全長が固定された状態）の配置を切り替えるものである。
【００４９】
図４において、７００は交換レンズを示し、７１９は回転させることにより撮影設定の変更を行うマニュアルリングを示す。７３５は、回転させることによりズーミングを行うズームリングを示す。７２１は、操作スイッチとしての切り替えスイッチ（以下、スイッチ）を示す。７０１は１群レンズを示し、７１７は１群レンズを固定する１群筒を示す。ユーザーがズームリング７３５を回動させることで不図示のカム環が回転し、不図示のカム環に設置された不図示のカム溝に係合した１群レンズ７１７と不図示のレンズ群が光軸方向に進退し、ズーム動作が行われる。
【００５０】
ズームリング７３５には、スイッチ７２１が設けられている。スイッチ７２１はズームリング７３５に光軸方向へ可動に支持されており、３ポジションに切り替えが可能である。スイッチ７２１はズームリング７３５に光軸方向へ可動に支持されており、３ポジションに切り替えが可能となっている。
【００５１】
即ち、撮影状態（通常撮影）に対応する第１の位置と、第１の位置と異なる第２の位置と、第１の位置を挟んで第２の位置と異なる第３の位置と、を備え、第１の位置と第２の位置との間、および第１の位置と第３の位置との間が切り替え可能である。本実施形態では、第２及び第３の位置は、第１の位置を挟んでレンズユニットの光軸方向にあり、第２の位置は第１の位置に対し後側（像面側）、第３の位置は第１の位置に対し前側（被写体側）、にある。そして、付勢部材（不図示）により第２の位置から第１の位置（第１及び第２の位置に対し中央の位置）に自動復帰するように付勢されている。
【００５２】
スイッチ７２１を使用して撮影状態とズームロック状態とを切り替える動作について、以下説明する。撮影状態（例えばレンズ群の光軸方向の全長が短くなるワイド端）において、スイッチ７２１を第１の位置から第３の位置に変位（スライド）させると、ズームロック状態（レンズ群における光軸方向の全長が固定された状態）となる。即ち、スイッチ７２１に設けた不図示の突起とズームリング７３５に設けた不図示の切り欠きが係合してズームリング７３５が回動できなくなる。
【００５３】
この状態では、ズーム位置はワイド端に固定され１群筒７１７が自重等で突出することが無い。ズームロック状態を解除するには、スイッチ７２１を第３の位置から第１の位置に切り替える。これにより、スイッチ７２１とズームリング７３５との係合が外れ、ズームリング７３５が回動できるようになり、ズーミングを行うことができる。
【００５４】
次に、スイッチ７２１（図４）を使用して、マニュアルリング７１９（図４）で変更する撮影設定の種類（内容）を切り替える（選択する）動作について説明する。本実施形態では、スイッチ７２１における第１の位置から第２の位置への移行は、撮影設定として異なる種類への切り替えを許容する。
【００５５】
即ち、スイッチ７２１を第１の位置から光軸方向像面側の第２の位置に変位（スライド）させると、スイッチ７２１と電気的に接続されたフレキシブルプリント基板（不図示）を介し、カメラ本体に電気信号が伝達される。そして、伝達された電気信号はカメラマイコンに入力され、スイッチ７２１およびマニュアルリング７１９の操作に応じた制御処理がカメラマイコンにて実行される。
【００５６】
本実施形態では、スイッチ７２１を第１の位置から第２の位置へ変位（スライド）させる毎に、第２の操作環としてのマニュアルリング７１９で変更する撮影設定の種類（内容）が順次切り替わる。切り替わる撮影設定の内容と順序は、例えば、フォーカス位置→絞り値→ＩＳＯ感度→露出補正値→フォーカス位置といったものである。即ち、第１の位置から第２の位置への移行により許容される撮影設定の異なる種類への切り替えは、全体として循環するように第１の位置から第２の位置への移行ごとに順に行われる。
【００５７】
本実施形態では、付勢部材（不図示）によりスイッチ７２１は第２の位置から第１の位置に自動的に復帰する為、カメラを構えながら簡単な操作で撮影設定の種類（内容）を切り替えることができる。
【００５８】
以上、本実施形態では、操作スイッチが第１の位置に位置する場合には、レンズ装置を第１の撮影モードで動作させ、操作スイッチが第２の位置に位置する場合には、レンズ装置の撮影モードを第１の撮影モードから順次切り替える。かつ、操作スイッチが第３の位置に位置する場合には、ズームロックに関連する少なくとも一つのレンズユニットの位置を規制するように、制御手段を備える。これにより、本実施形態によれば、レンズ鏡筒に設けるスイッチを増やすことなく、撮影状態と沈胴状態の切り替え、更に撮影設定の種類（内容）の切り替えを操作性良く、しかもレンズ鏡筒が大型化せず、デザイン性を損なうことなく行うことができる。
【００５９】
《第３の実施形態》
次に、本発明の第３の実施形態に係るレンズ装置としてのレンズ鏡筒およびその変形例を図５（ａ）および図５（ｂ）で説明する。第１の実施形態では、操作スイッチを撮影状態から沈胴状態への切り替えに用いたが、本実施形態では更に操作スイッチを通常の撮影状態からマクロモード撮影状態への変更に用いる。第１の実施形態と共通する部分（主に撮影状態と沈胴状態の切換え）については、説明を省略する。図５は、操作環の回転による撮影状態の切換えを、操作スイッチの状態に関連して説明する模式図である。
【００６０】
図５（ａ）で、操作環が沈胴端Ａにある時、操作スイッチは第１の位置から、第２の位置に可動でき、前述したように、撮影設定を異なる種類へ変更できる。そして、操作環が沈胴端Ａにあって、操作スイッチが第２の位置にある時に、操作スイッチの操作力を開放する（操作スイッチを放す）と自動的に第１の位置に戻る。
【００６１】
また、操作環が沈胴端Ａにある時、操作スイッチは第１の位置から、第３の位置に可動できる。そして、操作環が沈胴端Ａにある時、第３の位置で操作環を回転させることは可能であり、第３の位置で操作環を回転させると、沈胴切換え状態Ｂ（図５）へ回転可能となる。沈胴端Ａで操作スイッチが第３の位置にある時に、操作スイッチの操作力を開放する（操作スイッチを放す）と自動的に第１の位置に戻る。
【００６２】
操作環が沈胴切換え状態Ｂにある時は、操作スイッチの操作力を開放しても第１の位置には戻らず、操作スイッチは第３の位置に留まり、操作環の回転が許容される。そして、操作環をＷＩＤＥ端まで回すと、操作スイッチの操作力を開放した場合、操作スイッチは第１の位置に復帰する。
【００６３】
そして、操作環が撮影状態Ｃにある時は、操作スイッチは第１の位置から、第２の位置に可動でき、前述したように、撮影設定を異なる種類へ変更できる。
【００６４】
ここで、図５（ａ）において、操作環が撮影状態Ｃにある時、操作スイッチは第１の位置から第３の位置に可動でき、第３の位置で操作環を回転させることが可能であり、また、操作スイッチが第１の位置にあっても、操作環は回転可能である。このため、操作スイッチが第１の位置にあっても第３の位置にあっても操作環の回転状態に変化はないが、操作スイッチを第３の位置に保持すれば、撮影状態Ｃからマクロ撮影状態Ｅあるいは沈胴端Ａへ一気に回転させることができる。
【００６５】
また、操作環が撮影状態Ｃにあって操作スイッチが第３の位置にある時に、操作スイッチの操作力を開放する（操作スイッチを放す）と自動的に第１の位置に戻る。
【００６６】
そして、操作環がマクロモード切換え状態Ｄにある時は、操作力を開放しても第１の位置には戻らず、操作スイッチは第３の位置に留まり、操作環のマクロモード撮影状態Ｅへの回転が許容される。そして、マクロモード撮影状態Ｅでは、操作力を開放した場合、操作スイッチは第１の位置に復帰する。このようなマクロモード撮影状態Ｅでは、撮影状態よりもより近接撮影が可能となる。
【００６７】
そして、操作環がマクロモード撮影状態Ｅにある時、操作スイッチは第１の位置から、第２の位置に可動でき、前述したように、撮影設定を異なる種類へ変更できる。また、操作環がマクロモード撮影状態Ｅにある時、操作スイッチは第１の位置から、第３の位置に可動できる。第３の位置で操作環を回転させると、マクロモード切換え状態Ｄへ回転可能となる。
【００６８】
ここで、本実施形態では、撮影状態全域で第３の位置へ操作可能としたが、ＷＩＤＥ端・ＴＥＬＥ端のみで可能としても良い（図５（ｂ））。以上のように、操作スイッチを第１の位置から第３の位置へ移動することで、操作スイッチが原点位置にある場合の各操作環回転角度位置による操作環の回転状態（回転可・不可）を切り替えることができる。
【００６９】
以上述べたように、本実施形態では、操作スイッチは沈胴への切換えのみならず、マクロモードへの変更にも使用することができる。
【００７０】
（変形例）
以上、本発明の好ましい実施形態について説明したが、本発明はこれらの実施形態に限定されず、その要旨の範囲内で種々の変形及び変更が可能である。
【００７１】
（変形例１）
上述した実施形態では、第２及び第３の位置は、第１の位置を挟んでレンズユニットの光軸方向にあったが、光軸方向で第２の位置と第３の位置を逆にしても良い。また、本発明は光軸方向に設ける場合に限られない。例えば、第２及び第３の位置は第１の位置を挟んで周方向にあっても良いし、第２及び第３の位置の一方が第１の位置に対し光軸方向にあり、他方が第１の位置に対し周方向にあっても良い。
【００７２】
（変形例２）
上述した第１の実施形態では、第２及び第３の位置の両方の位置から第１の位置へ自動的に復帰するものであり、第２の実施形態では、第２の位置からのみ第１の位置へ自動的に復帰するものであったが、本発明はこれに限定されない。第３の位置からのみ第１の位置へ自動的に復帰するものであっても良い。即ち、第２及び第３の位置の少なくとも一方から第１の位置へ自動的に復帰するものであれば良い。
【００７３】
また、本発明は自動的に復帰する場合に限られず、自動復帰せずに操作力を加えて戻すように構成するものであっても良い。
【００７４】
（変形例３）
上述した実施形態で、第１の位置から第２の位置への移行による、設定の種類の変更や設定対象の中のパラメータの変更について、変更内容をカメラ本体に通信するもしくはカメラ本体の表示部に表示しても良い。あるいは、第１の位置から第２の位置への移行により設定の種類の変更や設定対象の中のパラメータの変更が許容された状態であって、マニュアルリング（第２の操作環）が操作された状態で、上記通信もしくは表示を行っても良い。
【００７５】
（変形例４）
上述した実施形態で、操作スイッチが第３の位置に位置する場合には、少なくとも一つのレンズユニットを所定の位置に移動させる、あるいは少なくとも一つのレンズユニットの移動を禁止することを述べたが、本発明はこれに限られない。操作スイッチが第３の位置に位置する場合には、更に、オートフォーカスを禁止する、あるいは撮影を禁止するものであっても良い。
【００７６】
（変形例５）
上述した実施形態では、撮像素子を備えるレンズ装置を示したが、光変調素子を備えるプロジェクタ等のレンズ装置にも本発明は適用できる。
【符号の説明】
【００７７】
２１、７２１・・切り替えスイッチ
【図１】
2017111315.tif 000003
【図２】
2017111315.tif 000004
【図３】
2017111315.tif 000005
【図４】
2017111315.tif 000006
【図５】
2017111315.tif 000007